(57)【要約】【課題】従来より早く受信者と連絡を取ることができる留守番電話サービス装置、交換機および、留守番電話サービス方法を提供すること。【解決手段】本発明の留守番電話サービス装置は、演算部（５２、５３）と、受信側電話機（２０）に対応するパスワードを記憶する記憶部（５４）と、を具備する。演算部（５２、５３）は、受信側電話機（２０）が通話できない場合に、発呼側電話機（１０）からの呼出に対して、受信側電話機（２０）に代わって応答する留守番応答手段と、発呼側電話機（１０）からのパスワードの入力を認証するパスワード認証手段（５３）と、パスワードが認証された時に、留守番応答手段を解除する留守番電話解除手段と、を備える。【選択図】  図１
2005020262.tif 000002
【特許請求の範囲】
【請求項１】
演算部と、
受信側電話機に対応するパスワードを記憶する記憶部と、
を具備し、
前記演算部は、
前記受信側電話機が通話できない場合に、発呼側電話機からの呼出に対して、前記受信側電話機に代わって応答する留守番応答手段と、
前記発呼側電話機から入力される前記パスワードを認証するパスワード認証手段と、
前記パスワードが認証された時に、前記留守番応答手段を解除する留守番電話解除手段と、
を備える、
留守番電話サービス装置。
【請求項２】
さらに、前記記憶部は前記受信側電話機に対応する転送電話番号を記憶し、
前記演算部は、
前記パスワードの認証に応答して、前記発呼側電話機からの呼出を、前記転送電話番号に転送する転送手段と、
を備える、
請求項１に記載された留守番電話サービス装置。
【請求項３】
演算部と、
受信側電話機に対応するパスワードを記憶する記憶部と、
を具備し、
前記演算部は、
前記受信側電話機が通話できない場合に、発呼側電話機からの呼出に対して、前記受信側電話機に代わって応答する第一留守番応答手段と、
前記発呼側電話機から入力される前記パスワードを認証するパスワード認証手段と、
前記パスワードの認証に応答して、前記発呼側電話機から受信したメッセージ、および、前記受信側電話機の電話番号を記憶する第二留守番応答手段と、
前記受信側電話機の通信可能状態を取得する通信状態取得手段と、
前記受信側電話機の通信状態が通信可能となったことに応答して、前記メッセージを前記受信側電話機に送信するメッセージ送信手段と、
を備える、
留守番電話サービス装置。
【請求項４】
演算部と、
受信側電話機に対応するパスワードを記憶する記憶部と、
を具備し、
前記演算部は、
前記受信側電話機が通話できない場合に、発呼側電話機からの呼出に対して、前記受信側電話機に代わって応答する第一留守番応答手段と、
前記発呼側電話機から入力される前記パスワードを認証するパスワード認証手段と、
前記パスワードの認証に応答して、前記発呼側電話機および、前記受信側電話機の電話番号を記憶する第二留守番応答手段と、
前記受信側電話機の通信可能状態を取得する通信状態取得手段と、
前記受信側電話機の通信状態が通信可能となったことに応答して、前記発呼側電話機に前記受信側電話機の通信状態が通信可能となったこと含む情報を送信する通信可能情報送信手段と、
を備える、
留守番電話サービス装置。
【請求項５】
演算部と、
受信側電話機に対応するパスワードを記憶する記憶部と、
を具備し、
前記演算部は、
前記受信側電話機が通話できない場合に、発呼側電話機からの呼出に対して、前記受信側電話機に代わって応答する留守番応答手段と、
前記発呼側電話機から入力される前記パスワードを認証するパスワード認証手段と、
前記パスワードが認証された時に、前記留守番応答手段を解除する留守番電話解除手段と、
を備える、
交換機。
【請求項６】
さらに、前記記憶部は前記受信側電話機に対応する転送電話番号を記憶し、
前記演算部は、
前記パスワードの認証に応答して、前記発呼側電話機からの呼出を、前記転送電話番号に転送する転送手段と、
を具備する、
請求項５に記載された交換機。
【請求項７】
演算部と、
受信側電話機に対応するパスワードを記憶する記憶部と、
を具備し、
前記演算部は、
前記受信側電話機が通話できない場合に、発呼側電話機からの呼出に対して、前記受信側電話機に代わって応答する第一留守番応答手段と、
前記発呼側電話機から入力される前記パスワードを認証するパスワード認証手段と、
前記パスワードの認証に応答して、前記発呼側電話機から受信したメッセージ、および、前記受信側電話機の電話番号を記憶する第二留守番応答手段と、
前記受信側電話機の通信可能状態を取得する通信状態取得手段と、
前記受信側電話機の通信状態が通信可能となったことに応答して、前記メッセージを前記受信側電話機に送信するメッセージ送信手段と、
を備える、
交換機。
【請求項８】
演算部と、
受信側電話機に対応するパスワードを記憶する記憶部と、
を具備し、
前記演算部は、
前記受信側電話機が通話できない場合に、発呼側電話機からの呼出に対して、前記受信側電話機に代わって応答する第一留守番応答手段と、
前記発呼側電話機から入力される前記パスワードを認証するパスワード認証手段と、
前記パスワードの認証に応答して、前記発呼側電話機および、前記受信側電話機の電話番号を記憶する第二留守番応答手段と、
前記受信側電話機の通信可能状態を取得する通信状態取得手段と、
前記受信側電話機の通信状態が通信可能となったことに応答して、前記発呼側電話機に前記受信側電話機の通信状態が通信可能となったこと含む情報を送信する通信可能情報送信手段と、
を備える、
交換機。
【請求項９】
受信側電話機が通話できない場合に、発呼側電話機からの呼出に対して、前記受信側電話機に代わって応答する留守番応答ステップと、
前記発呼側電話機からのパスワードの入力を認証するパスワード認証ステップと、
前記パスワードが認証された場合に、前記留守番応答手段を解除する留守番電話解除ステップと、
を含む、
留守番電話サービス方法。
【請求項１０】
さらに、前記パスワードの認証に応答して、前記発呼側電話機からの呼出を、転送呼出用に登録された転送電話番号に転送する転送ステップ、
を含む、
請求項９に記載された留守番電話サービス方法。
【請求項１１】
受信側電話機が通話できない場合に、発呼側電話機からの呼出に対して、前記受信側電話機に代わって応答する第一留守番応答ステップと、
前記発呼側電話機からのパスワードの入力を認証するパスワード認証ステップと、
前記パスワードの認証に応答して、前記発呼側電話機から受信したメッセージ、および、前記受信側電話機の電話番号を記憶する第二留守番応答ステップと、
前記受信側電話機の通信可能状態を取得する通信状態取得ステップと、
前記受信側電話機の通信状態が通信可能となったことに応答して、前記メッセージを前記受信側電話機に送信するメッセージ送信ステップと、
を含む、
留守番電話サービス方法。
【請求項１２】
受信側電話機が通話できない場合に、発呼側電話機からの呼出に対して、前記受信側電話機に代わって応答する第一留守番応答ステップと、
前記発呼側電話機からのパスワードの入力を認証するパスワード認証ステップと、
前記パスワードの認証に応答して、前記発呼側電話機の電話番号に前記受信側電話機の電話番号を関連付けて記憶する第二留守番応答ステップと、
前記受信側電話機の通信可能状態を取得する通信状態取得ステップと、
前記受信側電話機の通信状態が通信可能となったことに応答して、前記発呼側電話機に前記受信側電話機の通信状態が通信可能となったこと含む情報を送信する通信可能情報送信ステップと、
を含む
留守番電話サービス方法。
【発明の詳細な説明】
【０００１】
【発明の属する技術分野】
本発明は、交換機に関し、特に留守番電話サービス機能を有する交換機に関する。
【０００２】
【従来の技術】
受信側電話が着信できない場合に、交換機などの電話網側が代行して応答するいわゆる留守番電話サービスが行われている。留守番電話サービスは、受信側となる電話機の利用者により登録された応答メッセージを発信すること、および発呼側電話機から伝言メッセージを受信して記憶することができる。さらに、受信側電話機の使用者が選択した時に、留守番電話サービスと通信して、記憶された伝言メッセージを聞くことができる。
電源が切られる、もしくは通信圏外となる場合がある移動通信端末では、電話網側で留守番電話サービスが行われることが、特に好ましい。
【０００３】
しかし、使用者が、留守番電話サービスに記憶された伝言メッセージを聞くまでに時間が掛かる場合がある。緊急の電話の場合、できるだけ早く移動通信端末の使用者と通信すること、もしくは伝言メッセージを送信することが望まれる。
【０００４】
下記の公知例のように、通信端末が留守番モードになっている場合に、暗証番号を入力することにより留守番モードを解除できる技術がある。
電話網側で留守番モードになっている場合にも、緊急時などに留守番モードを解除できることが好ましい。さらに、受信側の端末が電源切りの状態もしくは通信圏外の場合に、その端末が通信可能な状態になった時に、できるだけ早く伝言メッセージを送付することができることが好ましい。もしくは、その端末が通信可能な状態になった時に、発呼者側に電話をかけられることを通知できることが好ましい。
【０００５】
着信音を鳴らさないモードの設定が可能な通信端末装置において、前記モードの設定がなされている状態で着信があり、かつ発呼者から暗証番号の入力があると、その暗証番号が正しい番号と一致するかを判定する暗証番号判定手段と、この暗証番号判定手段によって正しい暗証番号の入力であったと判定された場合に緊急時の着信であるとして、着信音を鳴らし着呼者に緊急の着呼であることを報知する緊急報知手段と、を有することを特徴とする通信端末装置の発明が開示されている（例えば、特許文献１）。
【０００６】
着信音を発生する放音モードと、着信音を発生しない消音モードとを有する携帯電話機において、暗証番号が記憶された記憶手段と、着信データの中に暗証番号データが含まれていた場合に該暗証番号データと前記記憶手段内の暗証番号とを比較し両者が一致していた場合に前記消音モードを解除して放音モードとする制御手段と、を具備してなる携帯電話機が開示されている（例えば、特許文献２）。
【０００７】
着信時に留守番応答を行なうための留守モードの設定が可能であると共に、発信側の電話機から送信されてくる制御信号に応じて各種動作が実現される携帯電話機において、着信時に、緊急呼び出しが必要である場合には特定のキーを操作する様に促すメッセージを含む応答メッセージを発信側の電話機へ送信する応答手段と、応答メッセージの送信後、発信側の電話機から受信した制御信号を解読して、その解読結果が前記キー操作に基づく緊急呼び出しを表わしているときは、着信の報知を行なう制御手段とを具えていることを特徴とする携帯電話機が開示されている（例えば、特許文献３）。
【０００８】
移動電話機の携帯者に緊急に連絡しようとしたとき、移動電話機の携帯者が移動電話機の電源を切っている場合に、移動電話交換機に設置された留守番電話装置に伝言を録音し、さらに緊急伝言である事を相手の移動電話機に表示するための識別信号を付加することにより、相手が移動電話機の電源を切っていても移動電話機のスリ−プ回路により警告音を鳴動し、着信ランプを点滅させることを特徴とする、移動電話機における緊急伝言表示方法の発明が開示されている（例えば、特許文献４）。
【０００９】
【特許文献１】
特開２０００−３２１２５号公報
【特許文献２】
特開２００１−２４５０２２号公報
【特許文献３】
特開平１１−０２７３８０号公報
【特許文献４】
特開平１１−０２８５０７９号公報
【００１０】
【発明が解決しようとする課題】
本発明の目的は、より早く受信者と連絡を取ることができる留守番電話サービス装置、交換機および、留守番電話サービス方法を提供することにある。
【００１１】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１２】
本発明の留守番電話サービス装置は、演算部（５２、５３）と、受信側電話機（２０）に対応するパスワードを記憶する記憶部（５４）と、を具備する。
演算部（５２、５３）は、受信側電話機（２０）が通話できない場合に、発呼側電話機（１０）からの呼出に対して、受信側電話機（２０）に代わって応答する留守番応答手段と、発呼側電話機（１０）からのパスワードの入力を認証するパスワード認証手段（５３）と、パスワードが認証された時に、留守番応答手段を解除する留守番電話解除手段と、を備える。
【００１３】
本発明の留守番電話サービス装置における記憶部（５４）は、さらに、受信側電話機（２０）に対応する転送電話番号を記憶する。
演算部（５２、５３）は、パスワードの認証に応答して、発呼側電話機（１０）からの呼出を、転送電話番号に転送する転送手段を備える。
【００１４】
本発明の留守番電話サービス装置は、演算部（５２、５３）と、受信側電話機（２０）に対応するパスワードを記憶する記憶部（５４）と、を具備する。
演算部（５２、５３）は、受信側電話機（２０）が通話できない場合に、発呼側電話機（１０）からの呼出に対して、受信側電話機（２０）に代わって応答する第一留守番応答手段と、発呼側電話機（１０）からのパスワードの入力を認証するパスワード認証手段（５３）と、パスワードの認証に応答して、発呼側電話機（１０）から受信したメッセージ、および、受信側電話機（２０）の電話番号を記憶する第二留守番応答手段と、受信側電話機（２０）の通信可能状態を取得する通信状態取得手段と、受信側電話機（２０）の通信状態が通信可能となったことに応答して、メッセージを受信側電話機（２０）に送信するメッセージ送信手段と、を備える。
【００１５】
本発明の留守番電話サービス装置は、演算部（５２、５３）と、受信側電話機（２０）に対応するパスワードを記憶する記憶部（５４）と、を具備する。
演算部（５２、５３）は、受信側電話機（２０）が通話できない場合に、発呼側電話機（１０）からの呼出に対して、受信側電話機（２０）に代わって応答する第一留守番応答手段と、発呼側電話機（１０）からのパスワードの入力を認証するパスワード認証手段（５３）と、パスワードの認証に応答して、発呼側電話機（１０）および、受信側電話機（２０）の電話番号を記憶する第二留守番応答手段と、受信側電話機（２０）の通信可能状態を取得する通信状態取得手段と、受信側電話機（２０）の通信状態が通信可能となったことに応答して、発呼側電話機（１０）に受信側電話機（２０）の通信状態が通信可能となったこと含む情報を送信する通信可能情報送信手段と、を備える。
【００１６】
本発明の交換機は、演算部（５２、５３）と、受信側電話機（２０）に対応するパスワードを記憶する記憶部（５４）と、を具備する。
演算部（５２、５３）は、受信側電話機（２０）が通話できない場合に、発呼側電話機（１０）からの呼出に対して、受信側電話機（２０）に代わって応答する留守番応答手段と、発呼側電話機（１０）からのパスワードの入力を認証するパスワード認証手段（５３）と、パスワードが認証された時に、留守番応答手段を解除する留守番電話解除手段と、を備える。
【００１７】
本発明の交換機において、記憶部（５４）は、さらに、受信側電話機（２０）に対応する転送電話番号を記憶する。
演算部（５２、５３）は、パスワードの認証に応答して、発呼側電話機（１０）からの呼出を、転送電話番号に転送する転送手段を具備する。
【００１８】
本発明の交換機は、演算部（５２、５３）と、受信側電話機（２０）に対応するパスワードを記憶する記憶部（５４）と、を具備する。
演算部（５２、５３）は、受信側電話機（２０）が通話できない場合に、発呼側電話機（１０）からの呼出に対して、受信側電話機（２０）に代わって応答する第一留守番応答手段と、発呼側電話機（１０）からのパスワードの入力を認証するパスワード認証手段（５３）と、パスワードの認証に応答して、発呼側電話機（１０）から受信したメッセージ、および、受信側電話機（２０）の電話番号を記憶する第二留守番応答手段と、受信側電話機（２０）の通信可能状態を取得する通信状態取得手段と、受信側電話機（２０）の通信状態が通信可能となったことに応答して、メッセージを受信側電話機（２０）に送信するメッセージ送信手段と、を備える。
【００１９】
本発明の交換機は、演算部（５２、５３）と、受信側電話機（２０）に対応するパスワードを記憶する記憶部（５４）と、を具備する。
演算部（５２、５３）は、受信側電話機（２０）が通話できない場合に、発呼側電話機（１０）からの呼出に対して、受信側電話機（２０）に代わって応答する第一留守番応答手段と、発呼側電話機（１０）からのパスワードの入力を認証するパスワード認証手段（５３）と、パスワードの認証に応答して、発呼側電話機（１０）および、受信側電話機（２０）の電話番号を記憶する第二留守番応答手段と、受信側電話機（２０）の通信可能状態を取得する通信状態取得手段と、受信側電話機（２０）の通信状態が通信可能となったことに応答して、発呼側電話機（１０）に受信側電話機（２０）の通信状態が通信可能となったこと含む情報を送信する通信可能情報送信手段と、を備える。
【００２０】
本発明の留守番電話サービス方法は、以下のステップを含む。
受信側電話機（２０）が通話できない場合に、発呼側電話機（１０）からの呼出に対して、受信側電話機（２０）に代わって応答する留守番応答ステップ。
発呼側電話機（１０）からのパスワードの入力を認証するパスワード認証ステップ。
パスワードが認証された場合に、留守番応答手段を解除する留守番電話解除ステップ。
【００２１】
さらに、本発明の留守番電話サービス方法は、以下のステップを含む。
パスワードの認証に応答して、発呼側電話機（１０）からの呼出を、転送呼出用に登録された転送電話番号に転送する転送ステップ。
【００２２】
本発明の留守番電話サービス方法は、以下のステップを含む。
受信側電話機（２０）が通話できない場合に、発呼側電話機（１０）からの呼出に対して、受信側電話機（２０）に代わって応答する第一留守番応答ステップ。
発呼側電話機（１０）からのパスワードの入力を認証するパスワード認証ステップ。
パスワードの認証に応答して、発呼側電話機（１０）から受信したメッセージ、および、受信側電話機（２０）の電話番号を記憶する第二留守番応答ステップ。
受信側電話機（２０）の通信可能状態を取得する通信状態取得ステップ。
受信側電話機（２０）の通信状態が通信可能となったことに応答して、メッセージを受信側電話機（２０）に送信するメッセージ送信ステップ。
【００２３】
本発明の留守番電話サービス方法は、以下のステップを含む。
受信側電話機（２０）が通話できない場合に、発呼側電話機（１０）からの呼出に対して、受信側電話機（２０）に代わって応答する第一留守番応答ステップ。
発呼側電話機（１０）からのパスワードの入力を認証するパスワード認証ステップ。
パスワードの認証に応答して、発呼側電話機（１０）の電話番号を、受信側電話機（２０）の電話番号と関連付けて記憶する第二留守番応答ステップ。
受信側電話機（２０）の通信可能状態を取得する通信状態取得ステップ。
受信側電話機（２０）の通信状態が通信可能となったことに応答して、発呼側電話機（１０）に受信側電話機（２０）の通信状態が通信可能となったこと含む情報を送信する通信可能情報送信ステップ。
【００２４】
【発明の実施の形態】
添付図面を参照して、本発明による留守番電話サービスに対応する交換機の実施の形態を以下に説明する。
【００２５】
（実施の形態１）
図１は、電話網側で留守番電話サービスを提供することができる交換機と、その交換機に接続される基地局および電話機の概要を示す。
発呼側携帯電話１０は、第一基地局３０を介して、交換機５０と接続される。交換機５０は、第二基地局４０を介して受信側電話機２０と接続される。交換機５０は、発呼側携帯電話１０と受信側電話機２０の通話の接続を行う。
【００２６】
発呼側電話機１０は、発呼を行う側の電話機である。発呼者は、発呼側電話機１０に受信側電話機２０の電話番号を入力して発呼を行う。
受信側電話機２０は、発呼側から呼出を受ける電話機である。
第一基地局３０は、発呼側電話機１０の近くにある基地局で、発呼側電話機１０と通信を行い、発呼側電話機１０と交換機５０を接続する。
第二基地局４０は、受信側電話機２０の近くにある基地局で、受信側電話機２０と通信を行い、受信側電話機１０と交換機５０を接続する
電話網側が呼出範囲を決定するため、基地局３０、４０と携帯電話とは、通話時以外でも継続的に通信している。このため、どの携帯端末がどの基地局の通信範囲にあるかが検知される。この動作を、位置登録動作とする。位置登録動作により、各電話機１０、２０に対して使用される基地局３０、４０が決められる。
なお、発呼側電話機１０および受信側電話機２０は、携帯電話機の場合がある。但し、発呼側電話機１０および受信側電話機２０は、携帯電話機に限定されず固定電話機でも良い。さらに、発呼側電話機１０および受信側電話機２０は、通話機能を有する携帯通信端末でもよい。
【００２７】
交換機５０は、留守番電話サービス機能を具備した交換機である。
本例では、受信側電話機２０が留守番電話サービス機能を利用して、留守番モードを選択しているものとする。留守番モードにおいて、発呼側電話機１０から受信側電話機２０に電話を掛けた場合、交換機５０の留守番電話サービス機能が作動して、受信側電話機２０の使用者が登録した応答メッセージが再生され、さらに、発呼側電話機１０から入力される伝言メッセージを登録することができる。
交換機５０は、信号処理回路５１、留守番動作制御部５２、パスワード判定回路５３、メモリ５４を具備する。
信号処理回路５１は、基地局３０から受信した信号と音声信号の符号化、およびメモリ５４に記憶されている信号と音声信号の復号化を行う。
留守番動作制御部５２は、留守番電話サービス機能を実行する制御部である。留守番動作制御部５２は、信号処理回路５１およびパスワード判定回路５３の制御、メモリ５４への書込み、読出し動作を行うことができる。
パスワード判定回路５３は、受信側電話機２０から受信したパスワードが、受信側電話機２０に対して正しいか判定を行う。
【００２８】
メモリ５４は、記憶装置に例示される。メモリ５４は、伝言登録部５４−１、応答メッセージ記憶部５４−２、パスワード登録部５４−３を具備する。
伝言登録部５４−１は、留守番電話サービス機能が留守番モードに設定されている電話に電話をかけた発呼者が残す伝言メッセージを記憶する。受信者は、留守番電話サービス機能により、伝言登録部５４−１に記憶された伝言メッセージを再生して、聞くことができる。
応答メッセージ記憶部５４−２は、留守番電話サービス機能を使用する受信者に登録された応答メッセージを記憶する。応答メッセージ記憶部５４−２に記憶された応答メッセージは、その受信者の電話機に電話が掛かってきた時に再生される。その使用者の電話機に電話を掛けた発呼者は、応答メッセージを聞くことができ、留守番状態であることを把握することができる。
パスワード登録部５４−３は、留守番電話サービス機能を使用する受信者の電話機の電話番号に対応するパスワードを記憶する。受信者が留守番電話サービス機能の留守番状態を設定している時に、発呼者が発呼側電話機１０からパスワードを入力することにより、パスワード判定回路５３は、受信側電話機２０から受信したパスワードが、受信側電話機２０に対して正しいか判定を行う。
この時、パスワード登録部５４−３に記憶されたパスワードが使用される。
パスワードが正しい時、留守番状態が解除され、受信側携帯電話２０に発呼が行われる。パスワードを使用することにより、特定の人以外は、留守番状態を解除することができない。受信者は、特定の人に特定の場合以外、留守番状態を解除しない条件でパスワードを教えることができる。受信者が留守番状態にする場合、発呼されることが好ましくない場合があるため、留守番状態の解除が行われるのは、緊急の場合などの限定された場合に限することができることが好ましい。
【００２９】
次に図２を参照して、留守番状態が解除される場合の通信の概要が説明される。図２では、第一、第二基地局３０、４０の動作は、通常の基地局の動作であるため説明は省略されている。
受信側電話機２０は、使用者により交換機５０の留守番電話サービス機能が設定されている。
【００３０】
発呼者は発呼側電話機１０を使用して、受信側電話機２０の電話番号を入力する（ＳＡ１）。発呼側電話機１０から、電話番号の情報を含む選択信号ａ１が交換機５０に送信される。交換機５０は、選択信号ａ１を受信して、受信側電話機２０へ接続を行い、受信側電話機２０へ呼出信号ａ２を送信する。受信側電話機２０は、呼出信号ａ２を受信して、着信音を鳴らすもしくは振動することに例示される呼出動作を行う（ＳＡ２）。設定した期間に応答がない場合、留守番動作制御部５２により、交換機５０の留守番電話サービス機能が作動する（ＳＡ３）。留守番電話サービス機能の作動により、呼出信号ａ２が停止し、受信側電話機２０の呼出動作は終了する。
留守番電話サービス機能が作動するための「応答がない期間」は、受信側電話機２０の使用者の設定により変更することができる。さらに、受信側電話機２０の使用者により、交換機５０が呼出信号ａ２を送信しないで留守番電話サービス機能を作動する設定を選択することができる。
【００３１】
留守番電話サービス機能が作動すると、留守番動作制御部５２は、受信側電話機に対応つけられた応答メッセージを応答メッセージ記憶部５４−２から抽出する。信号処理回路５１が応答メッセージを復号化して、留守番応答メッセージａ３として発呼側電話機１０に送信する。発呼者は、発呼側電話機１０で留守番応答メッセージａ３を聞いて、受信側電話機２０の留守番電話サービス機能が留守番状態であることを把握する。
【００３２】
発呼者は、発呼側電話機１０から、事前に受信者から知らされている留守番状態解除用のパスワードを入力する（ＳＡ４）。パスワードａ４は、交換機５０に送信される。留守番動作制御部５２は、パスワードの入力を検知して、パスワード判定回路５３でパスワードの判定を行う。パスワード判定回路５３は、パスワード登録部５４−３から受信側電話機２０の電話番号に対応つけられたパスワードを取得して、一致するか判定を行う。
パスワード判定回路５３が、パスワードが一致すると判断した場合、留守番動作制御部５２が、留守番電話サービス機能を解除する（ＳＡ５）。
留守番電話サービス機能が解除されたことにより、交換機５０は受信側電話機２０に呼出信号ａ５を送信する。受信側電話機２０は、呼出信号ａ５を受信して着信音もしくは振動による呼出動作を行う（ＳＡ６）。受信者が、通話状態にするための応答動作をすることにより（ＳＡ７）、応答信号ａ６が交換機５０に送信され、発呼側電話機１０と受信側電話機２０が通話状態となる（ＳＡ８）。
【００３３】
次に、図３を参照して、交換機５０の動作が説明される。
図３は動作を示すフローチャートである。
発呼側電話機１０の発呼者が、受信側電話機２０の受信者に連絡を取りたい場合、操作部（図示しない）を用いて受信側電話機２０の電話番号を設定し発呼動作を行う。
【００３４】
発呼側電話機１０からの信号を交換機５０は基地局３０を介して受信する。受信した信号から交換機５０は、発呼先の受信側電話機２０を特定し基地局４０を介して受信側電話機２０に呼出信号を送出する。受信側電話機２０は呼出動作を行う。ここで受信側電話機２０が留守番電話サービスを使用している場合、ｔ１時間呼出した後（ｔ１は受信側の電話機にて０秒〜１２０秒まで任意に設定できる）、交換機５０の留守番制動作御部５２は、メモリ５４内にある応答メッセージ記憶部５４−２から応答メッセージの音声データを取り出し、信号処理回路５１にて復号化した信号を、基地局３０を介して発呼側電話機１０に送出する（Ｓ１０）。
【００３５】
発呼側電話機１０を使用している発呼者はその応答メッセージを聞くことにより留守番電話サービスに接続されたことを知る。ここで発呼側電話機１０の発呼者が受信側電話機２０の使用者からあらかじめ教えられたパスワードを、操作部から入力する。交換機５０の留守番動作制御部５２は、パスワードの受信を検知する（Ｓ１１）。
【００３６】
パスワードの受信を検知した場合、留守番動作制御部５２は受信したパスワードをパスワード判定回路５３に送る。パスワード判定回路５３は、受信したパスワードが、パスワード登録部５４−３にあらかじめ受信側電話機２０の使用者により登録されているパスワードと一致するか比較し判定する（Ｓ１３）。
【００３７】
パスワードが正しかった場合、交換機５０は留守番動作制御部５２の要求から受信側電話機２０に対して再度呼び出し信号を送出する（Ｓ１４）。受信側電話機２０は、呼び出し信号を受信して着信動作を再開する。
【００３８】
発呼者がパスワードを入力しなかった場合やパスワードが誤っていた場合、交換機５０は通常の留守番動作を継続する（Ｓ１２）。
【００３９】
上記の発明により、電話機に電話をかけ相手側が電話に出ずに、交換機５０で設定された電話網側の留守番電話機能の応答メッセージが流れ始めた場合でも、発呼者側から留守番電話機能を解除し、呼出をすることができる。
上記の発明では、パスワード判定回路５３を設けたことで、発呼者が入力したパスワードがパスワード登録部５４−３にあらかじめ登録されているパスワードと同じであるかを判定し正しいパスワードであれば、受信側に再度呼出通知を行うことができるようになる。
このため、発呼者が受信者に緊急の連絡をしたい場合に、留守番電話機能を解除し、呼出をすることができる。
【００４０】
（実施の形態２）
本実施の形態では、上記の（実施の形態１）に加え、留守番電話機能を解除し呼出をする場合に、受信側電話機２０を使用する受信者により設定された転送先電話機７０に、呼び出しをすることができる発明が説明される。
【００４１】
この発明では、発呼者によりパスワードが入力された場合に、留守番電話機能を解除しかつ転送先電話機に７０に呼出しをすることができる。受信者は、緊急の連絡などを、指定した転送先で代行して受信してもらうことができる。具体的には、家族や会社に転送されるように設定することができる。
パスワードを使用して転送することを判断することにより、全ての受信が転送されず、転送されるのは受信者がパスワードを教えた人からの受信に限定される。
さらに、複数のパスワードを設定することにより、複数の転送先を設定することもできる。具体的には、受信者は、第一パスワードが入力された場合は、受信が自宅の電話機に転送され、第二パスワードが入力された場合は、受信が会社の電話機に転送されるように設定できる。これにより、受信者は相手に合わせてパスワードを選択して教え、転送先を変えることができる。
【００４２】
図４に本実施の形態２で使用される交換機５０’の構成と、基地局３０、４０、６０、発呼側電話機１０、受信側電話機２０、転送先電話機７０の関係が示される。実施の形態１で説明されたものと同じ部分は、同じ記号が付され、説明は省略される。
【００４３】
本実施の形態２では、受信者により登録された転送先電話機７０と、転送先電話機７０と交換機５０’を接続する第三基地局とが使用される。
さらに、交換機５０’のメモリ５４’は、転送先登録部５４−４を具備する。
転送先登録部５４−４は、受信側電話機２０を使用する使用者が登録した転送先電話機７０の電話番号を、受信側電話機２０の電話番号と関連付けて記憶する。
転送先登録部５４−４は、転送先電話機７０の電話番号をさらにパスワードと関連付けて記憶する場合もある。
【００４４】
次に図５を参照して、留守番状態が解除され、転送が行われる場合の通信の概要が説明される。図５では、第一、第二、第三基地局３０、４０、６０の動作は、通常の基地局の動作であるため説明は省略される。
受信側電話機２０は、使用者により交換機５０’の留守番電話サービス機能が設定されている。さらに、使用者は転送先である転送先電話番号を、留守番電話サービス機能を使用して交換機５０’の転送先登録部５４−４に登録している。
【００４５】
発呼者は発呼側電話機１０を使用して、受信側電話機２０の電話番号を入力する（ＳＢ１）。発呼側電話機１０から、呼出す電話番号の情報を含む選択信号ｂ１が交換機５０’に送信される。交換機５０’は、選択信号ｂ１を受信して、受信側電話機２０へ回線の接続を行い、受信側電話機２０へ呼出信号ｂ２を送信する。受信側電話機２０は、呼出信号ｂ２を受信して、着信音を鳴らすもしくは振動することに例示される呼出動作を行う（ＳＢ２）。設定した期間に応答がない場合、留守番動作制御部５２により、交換機５０’の留守番電話サービス機能が作動する（ＳＢ３）。留守番電話サービス機能の作動により、呼出信号ｂ２が停止し、受信側電話機２０の呼出動作は終了する。
留守番電話サービス機能が作動するための「応答がない期間」は、受信側電話機２０の使用者の設定により変更することができる。さらに、受信側電話機２０の使用者により、交換機５０’が呼出信号ｂ２を送信しないで留守番電話サービス機能を作動する設定を選択することができる。
【００４６】
留守番電話サービス機能が作動すると、留守番動作制御部５２は、受信側電話機２０に対応つけられた応答メッセージを応答メッセージ記憶部５４−２から抽出する。信号処理回路５１が応答メッセージを復号化して、留守番応答メッセージｂ３として発呼側電話機１０に送信する。発呼者は、発呼側電話機１０で留守番応答メッセージａ３を聞いて、受信側電話機２０の留守番電話サービス機能が留守番状態であることを把握する。
【００４７】
発呼者は、発呼側電話機１０から、事前に受信者から知らされていた転送用のパスワードを入力する（ＳＢ４）。パスワードｂ４は、交換機５０’に送信される。留守番動作制御部５２は、パスワードの入力を検知して、パスワード判定回路５３でパスワードの判定を行う。パスワード判定回路５３は、パスワード登録部５４−３から受信側電話機２０の電話番号に対応つけられたパスワードを取得して、一致するか判定を行う。
パスワード判定回路５３が、パスワードが一致すると判断した場合、留守番動作制御部５２が、留守番電話サービス機能を解除する。さらに、留守番動作制御部５２は、転送先登録部５４−４から、受信側電話機２０に対応つけられた転送先電話機７０の電話番号を検索し、取得する。
交換機５０’は転送先電話機７０に呼出信号ｂ５を送信する。転送先電話機７０は、呼出信号ｂ５を受信して着信音もしくは振動による呼出動作を行う（ＳＢ６）。転送先電話機７０の受信者が、応答動作をすることにより（ＳＢ７）、応答信号ｂ６が交換機５０’に送信され、発呼側電話機１０と転送先電話機７０が通話状態となる（ＳＢ８）。
【００４８】
このように、パスワードを知らせた特定の人からの緊急の電話の場合で、かつ自分が電話に出ることができない場合に、転送先電話機７０に電話を転送することができる。
さらに、複数の転送先の各々に個別のパスワードを設定すれば、発呼者となる可能性がある人に知らせるパスワードを変えることにより、発呼者により転送先電話機７０を変えることができる。
【００４９】
次に、図６を参照して、交換機５０’の動作が説明される。
図６は交換機５０’の動作を示すフローチャートである。
発呼側電話機１０の発呼者が、受信側電話機２０の受信者に連絡を取りたい場合、操作部（図示しない）を用いて受信側電話機２０の電話番号を設定し発呼動作を行う。
【００５０】
発呼側電話機１０からの信号を交換機５０’は基地局３０を介して受信する。受信した信号から交換機５０’は、発呼先の受信側電話機２０を特定し基地局４０を介して受信側電話機２０に呼出信号を送出する。受信側電話機２０は呼出動作を行う。ここで受信側電話機２０が留守番電話サービスを使用している場合、ｔ１時間呼出した後（ｔ１は受信側の電話機にて０秒〜１２０秒まで任意に設定できる）、交換機５０’の留守番制御部５２はメモリ５４内にある応答メッセージ記憶部５４−２から応答メッセージの音声データを取り出し、信号処理回路５１にて復号化した信号を、基地局３０を介して発呼側電話機１０に送出する（Ｓ２０）。
【００５１】
発呼側電話機１０を使用している発呼者はその応答メッセージを聞くことにより留守番電話サービスに接続されたことを知る。ここで発呼側電話機１０の発呼者が受信側電話機２０の使用者からあらかじめ教えられたパスワードを、操作部から入力する。交換機５０’の留守番動作制御部５２は、パスワードの受信を検知する（Ｓ２１）。
【００５２】
パスワードの受信を検知した場合、留守番動作制御部５２は受信したパスワードをパスワード判定回路５３に送る。パスワード判定回路５３では、受信したパスワードが、パスワード登録部５４−３にあらかじめ受信側電話機２０の使用者により登録されているパスワードと一致するかを比較し判定する（Ｓ２３）。
【００５３】
パスワードが正しかった場合、留守番動作制御部５２は、受信側電話機２０の電話番号に対応付けられた転送先電話機７０の電話番号を、転送先登録部５４−４から取得する。転送先電話機７０の電話番号が、さらにパスワードに関連付けられる場合がある。
留守番動作制御部５２は、取得した転送先電話機７０の電話番号に、発呼側電話機１０からの呼出を転送する（Ｓ２４）。
【００５４】
発呼者がパスワードを入力しなかった場合やパスワードが誤っていた場合、交換機５０’は通常の留守番動作を継続する（Ｓ２２）。
【００５５】
上記の発明により、電話機に電話をかけ相手側が電話に出ずに、交換機５０’で設定された電話網側の留守番電話機能の応答メッセージが流れ始めた場合に、受信者が指定した転送先に呼出を転送することができる。さらに、パスワードにより転送を行うことで、転送される呼出が特定の人からの通話に限定される。
具体的には、緊急時のみにパスワードを使用するように伝えてパスワードを教えることにより、受信者は転送される呼出を、緊急のもののみに限定することができる。
【００５６】
（実施の形態３）
本実施の形態３では、上記の実施の形態１に加え、受信側電話機２０の電源が切られている場合、もしくは受信側電話機２０が通信圏外である場合に、交換機５０’’が、受信側電話機２０が通話可能状態になったことを検知して、自動的に特定の伝言メッセージを受信側電話機２０に送信することができる。
自動的に送信される伝言メッセージは、パスワードが認証されて記録されたものに限られる。
このため、発呼者によりパスワードが入力された場合に、緊急用留守番電話機能が作動し、この機能により登録された伝言メッセージが、自動的に受信側電話機に送信される。
伝言メッセージが送信されるタイミングは、受信側電話機２０が通信可能になった後、できるだけ早いことが好ましい。
電話網側が発呼範囲を決定するため、通話時以外でも携帯電話機と基地局は継続的に通信している。このため、電話網側（例えば交換機）は、どの携帯端末がどの基地局の通信範囲にあるかが検知できる。この位置登録動作が行われることにより、電話網側は受信側電話機２０の状態を検知することができる。本実施の形態３で説明される受信側電話機２０は、携帯電話もしくは携帯端末である。
パスワードを使用して登録された伝言メッセージを自動的に送信することにより、自動的に送信される伝言メッセージを限定することができる。
【００５７】
本実施の形態３で使用される応答メッセージ記憶部５４−２は、緊急用留守番電話機能で発信される緊急応答メッセージを記憶する。
さらに、本実施の形態３で使用される伝言登録部５４−１は、緊急用留守番電話機能で入力された伝言メッセージを記憶する。
【００５８】
図７に本実施の形態３で使用される交換機５０’’の構成と、基地局３０、４０、発呼側電話機１０、受信側電話機２０の関係が示される。実施の形態１で説明されたものと同じ部分は、同じ記号が付され、説明は省略される。
【００５９】
本実施の形態３で使用される交換機５０’’のメモリ５４’’は、状態登録部５４−５を具備する。交換機５０’’は、位置登録動作により位置登録動作が行われた携帯端末を通信可能状態と判断する。位置登録動作は、所定の周期で行われる。もしくは、位置登録動作は、ハンドオーバする時に行われる。このため、交換機５０’’は、一定期間以上、位置登録動作が行われない携帯端末を、通信不可能状態と判断する。
携帯端末は、電源が入れられた場合もしくは通信圏内に入った場合に位置登録動作を行う場合がある。
状態登録部５４−５は、携帯端末の通信可能状態もしくは通信不可能状態を継続的に記録する。
【００６０】
次に図８、９を参照して、受信側電話機２０が通信可能状態になった場合に、交換機５０’’から自動的に伝言メッセージが送信される通信の概要が説明される。図８、９では、第一、第二基地局３０、４０の動作は、通常の基地局の動作であるため説明は省略されている。
受信側電話機２０は、使用者により交換機５０’’の留守番電話サービス機能が設定されている。さらに、受信側電話機２０は、電源オフもしくは通信圏外であり通信不可能状態である。
【００６１】
発呼者は発呼側電話機１０を使用して、受信側電話機２０の電話番号を入力する（ＳＣ１）。発呼側電話機１０から、電話番号の情報を含む選択信号ｃ１が交換機５０’’に送信される。交換機５０’’は、受信側電話機２０へ接続を行い、受信側電話機２０へ呼出信号ｃ２を送信する。受信側電話機２０は、通信不可能状態であるので、応答をしない（ＳＣ２）。応答が無いことにより、交換機５０’’は、受信側電話機２０が通信不可能状態であることを把握する。
もしくは、交換機５０’’は、位置登録動作の結果もしくは状態登録部５４−５を参照して、受信側電話機２０が通信不可能状態であることを把握する。
【００６２】
交換機５０’’は、受信側電話機２０が通信不可能状態であることにより、留守番電話サービス機能を作動する（ＳＣ３）。
【００６３】
留守番電話サービス機能が作動すると、留守番動作制御部５２は、受信側電話機に対応つけられた応答メッセージを応答メッセージ記憶部５４−２から抽出する。信号処理回路５１が応答メッセージを復号化して、留守番応答メッセージｃ３として発呼側電話機１０に送信する。発呼者は、発呼側電話機１０で留守番応答メッセージｃ３を聞いて、留守番電話サービス機能が留守番状態であることを把握する。
【００６４】
発呼者は、発呼側電話機１０から、事前に受信者から知らされている緊急留守番電話サービス用のパスワードを入力する（ＳＣ４）。パスワードｃ４は、交換機５０’’に送信される。留守番動作制御部５２は、パスワードの入力を検知して、パスワード判定回路５３でパスワードの判定を行う。パスワード判定回路５３は、パスワード登録部５４−３から受信側電話機２０の電話番号に対応つけられたパスワードを取得して、一致するか判定を行う。
パスワード判定回路５３が、パスワードが一致すると判断した場合、留守番動作制御部５２が、留守番電話サービス機能を解除して、緊急留守番電話サービスを作動させる（ＳＣ５）
留守番動作制御部５２は、受信側電話機に対応つけられた緊急応答メッセージを応答メッセージ記憶部５４−２から抽出する。信号処理回路５１が緊急応答メッセージを復号化して、緊急留守番応答メッセージｃ５として発呼側電話機１０に送信する。発呼者は、発呼側電話機１０で緊急留守番応答メッセージｃ５に応答して、伝言メッセージを入力する（ＳＣ６）。発呼側電話機１０は、伝言メッセージｃ６を交換機５０’’に送信する。
【００６５】
信号処理回路５１は、伝言メッセージを、緊急留守番電話サービス機能で登録されたこと、および受信側電話機２０の電話番号と関連付けて、伝言登録部５４−１に記憶する（ＳＣ７）。
【００６６】
受信側電話機２０の電源が入れられること、もしくは受信側電話機２０が通信圏内に復帰した場合（ＳＣ８）、受信側電話機２０は、位置登録信号ｃ７を電話網側に発信する。交換機５０’’は、位置登録信号ｃ７を受信する。さらに。留守番動作制御部５２が、位置登録信号ｃ７に含まれる受信側電話機２０の電話番号に関連付けられて登録されている、緊急の伝言メッセージがあるか伝言登録部５４−１を検索する（ＳＣ９）。
【００６７】
留守番動作制御部５２は、緊急の伝言メッセージがあった場合、その伝言メッセージに関連付けられた受信側電話機２０の電話番号を取得し、受信側電話機２０に呼出信号ｃ８を送信する。受信側電話機２０は、着信音の鳴動などの呼出動作を行い、受信者が応答動作を行う（ＳＣ１０）。応答動作により応答信号が、受信側電話機２０から交換機５０’’に送信される。
交換機５０’’は、伝言登録部５４−１に記録されている緊急の伝言メッセージｃ１０を受信側電話機２０に送信する（ＳＣ１１）。
受信側電話機２０は伝言メッセージｃ１０を受信し、受信者は伝言メッセージｃ１０を聞くことができる（ＳＣ１２）。
【００６８】
このように、パスワードを知らせた特定の人からの緊急の電話の場合に、パスワードが認証されて入力された緊急の伝言メッセージが通常の伝言メッセージと区別されて記憶され、通話可能状態になった時に、自動的に受信者に送信される。このため、受信者がメッセージを聞く操作をする場合より早く伝言メッセージが受信者に届けられる。さらに、受信者がメッセージを聞く操作をしない場合でも、確実に伝言メッセージが受信者に届けられる。
【００６９】
次に、図１０を参照して、交換機５０’’の動作が説明される。
図１０は交換機５０’’の動作を示すフローチャートである。
発呼側電話機１０の発呼者が、受信側電話機２０の受信者に連絡を取りたい場合、操作部（図示しない）を用いて受信側電話機２０の電話番号を設定し発呼動作を行う。
【００７０】
発呼側電話機１０からの信号を交換機５０’’は基地局３０を介して受信する。受信した信号から交換機５０’’は、発呼先の受信側電話機２０を特定し基地局４０を介して受信側電話機２０に信号を送出する。
受信側電話機２０は通信可能状態にないため交換機５０’’は応答を受信しない。交換機５０’’の留守番制御部５２は、メモリ５４内にある応答メッセージ記憶部５４−２から応答メッセージの音声データを取り出し、信号処理回路５１にて復号化された信号を、基地局３０を介して発呼側電話機１０に送出する（Ｓ３０）。
【００７１】
発呼側電話機１０を使用している発呼者はその応答メッセージを聞くことにより留守番電話サービスに接続されたことを知る。ここで発呼側電話機１０の発呼者が電話機２０の使用者からあらかじめ教えられたパスワードを、操作部から入力する。交換機５０’’の留守番動作制御部５２は、パスワードの受信を検知する（Ｓ３１）。
【００７２】
パスワードの受信を検知した場合、留守番動作制御部５２は受信したパスワードをパスワード判定回路５３に送る。パスワード判定回路５３は、受信したパスワードが、パスワード登録部５４−３にあらかじめ受信側電話機２０の使用者により登録されているパスワードと一致するか比較し判定する（Ｓ３３）。
【００７３】
パスワードが一致した場合、留守番動作制御部５２は、緊急留守番サービス機能を作動する（Ｓ３４）。緊急留守番サービス機能により発呼者は、緊急の伝言メッセージを交換機５０’’に入力することができる。交換機５０’’は緊急の伝言メッセージを伝言登録部５４−１に記録する。
【００７４】
発呼者がパスワードを入力しなかった場合やパスワードが誤っていた場合、交換機５０’’は通常の留守番動作を継続する（Ｓ３２）。
【００７５】
交換機５０’’は、呼び出した受信側電話機２０の電源が投入されたこと、もしくは受信側電話機２０が通信圏内に復帰したことを位置登録動作により検知する（Ｓ３５）。交換機５０’’は、受信側電話機２０が通信可能状態になったことを検知した場合、緊急の伝言メッセージがあるか伝言登録部５４−１を検索する（Ｓ３６）。
【００７６】
緊急の伝言メッセージがある場合、交換機５０’’はその伝言メッセージに関連付けられた受信側電話機２０に呼出信号を送出する（Ｓ３７）。受信側電話機２０が、呼出信号に応答した場合、交換機５０’’は伝言メッセージを送信する（Ｓ３８）。
【００７７】
緊急の伝言メッセージがない場合、交換機５０’’は動作を終了する。
【００７８】
上記の発明により、受信側電話機２０が通信状態になくても、通信状態になったことを検知して、自動的に伝言メッセージを送信することができる。さらに、パスワードにより自動送信される伝言メッセージを入力できる人を限定することができる。具体的には、受信者は、緊急の発呼をする可能性のある人に、緊急時のみにパスワードを使用するように伝えてパスワードを教えることにより、受信者は自動送信される伝言メッセージを、緊急のもののみに限定することができる。
【００７９】
（実施の形態４）
本実施の形態４では、上記の実施の形態１に加え、受信側電話機２０の電源が切られている場合、もしくは受信側電話機２０が通信圏外である場合に、交換機５０’’’が、受信側電話機２０が通話可能状態になったことを検知して、自動的に発呼側電話機１０に受信側電話機２０が通話可能状態になったことを送信することができる。
自動的に通話可能状態になったことを受信する発呼側電話機１０は、発呼時にパスワードが認証されて記録されたものに限られる。
交換機５０’’’から通話可能状態になったことをが送信されるタイミングは、受信側電話機２０が通信可能になった後、できるだけ早いことが好ましい。
電話網側が発呼範囲を決定するため、通話時以外でも携帯電話機と基地局は継続的に通信している。このため、電話網側（例えば交換機）は、どの携帯端末がどの基地局の通信範囲にあるかが検知できる。この位置登録動作が行われることにより、電話網側は受信側電話機２０の状態を検知することができる。本実施の形態４で説明される受信側電話機２０は、携帯電話もしくは携帯端末である。
パスワードを使用して登録された発呼側電話機１０に、受信側電話機２０が通信可能になったことを自動的に送信することにより、発呼側電話機１０を限定することができる。
【００８０】
図１１に本実施の形態４で使用される交換機５０’’’の構成と、基地局３０、４０、発呼側電話機１０、受信側電話機２０の関係が示される。実施の形態１で説明されたものと同じ部分は、同じ記号が付され、説明は省略される。
【００８１】
本実施の形態４で使用される応答メッセージ記憶部５４−２は、緊急用留守番電話機能で発信される緊急応答メッセージを記憶する。
本実施の形態４で使用される交換機５０’’’のメモリ５４’’’は、さらに、状態登録部５４−５および電話番号登録部５４−６を具備する。
交換機５０’’’は、位置登録動作により位置登録動作が行われた携帯端末を通信可能状態と判断する。位置登録動作は、所定の周期で行われる。もしくは、位置登録動作は、ハンドオーバする時に行われる。このため、交換機５０’’’は、一定期間以上、位置登録動作が行われない携帯端末を、通信不可能状態と判断する。
携帯端末は、電源が入れられた場合もしくは通信圏内に入った場合に位置登録動作を行う場合がある。
状態登録部５４−５は、携帯端末の通信可能状態もしくは通信不可能状態を継続的に記録する。
電話番号登録部５４−６は、受信側電話２０が通信不可能状態の時に、パスワード認証された発呼側電話機１０の電話番号を記憶する。
【００８２】
次に図１２、１３を参照して、受信側電話機２０が通信可能状態になった場合に、交換機５０’’’から自動的に発呼側電話機１０に復帰情報が送信される通信の概要が説明される。図１２、１３では、第一、第二基地局３０、４０の動作は、通常の基地局の動作であるため説明は省略されている。
受信側電話機２０は、使用者により交換機５０’’’の留守番電話サービス機能が設定されている。さらに、受信側電話機２０は、電源オフもしくは通信圏外であり通信不可能状態である。
【００８３】
発呼者は発呼側電話機１０を使用して、受信側電話機２０の電話番号を入力する（ＳＤ１）。発呼側電話機１０から、電話番号の情報を含む選択信号ｄ１が交換機５０’’’に送信される。交換機５０’’’は、受信側電話機２０へ接続を行い、受信側電話機２０へ呼出信号ｄ２を送信する。受信側電話機２０は、通信不可能状態であるので、応答をしない（ＳＤ２）。応答が無いことにより、交換機５０’’’は、受信側電話機２０が通信不可能状態であることを把握する。
もしくは、交換機５０’’’は、位置登録動作の結果もしくは状態登録部５４−５を参照して、受信側電話機２０が通信不可能状態であることを把握する。
【００８４】
交換機５０’’’は、受信側電話機２０が通信不可能状態であることにより、留守番電話サービス機能を作動する（ＳＤ３）。
【００８５】
留守番電話サービス機能が作動すると、留守番動作制御部５２は、受信側電話機に対応つけられた応答メッセージを応答メッセージ記憶部５４−２から抽出する。信号処理回路５１が応答メッセージを復号化して、留守番応答メッセージｄ３として発呼側電話機１０に送信する。発呼者は、発呼側電話機１０で留守番応答メッセージｄ３を聞いて、留守番電話サービス機能が留守番状態であることを把握する。
【００８６】
発呼者は、発呼側電話機１０から、事前に受信者から知らされている緊急留守番電話サービス用のパスワードを入力する（ＳＤ４）。パスワードｄ４は、交換機５０’’’に送信される。留守番動作制御部５２は、パスワードの入力を検知して、パスワード判定回路５３でパスワードの判定を行う。パスワード判定回路５３は、パスワード登録部５４−３から受信側電話機２０の電話番号に対応つけられたパスワードを取得して、一致するか判定を行う。
パスワード判定回路５３が、パスワードが一致すると判断した場合、留守番動作制御部５２が、留守番電話サービス機能を解除して、緊急留守番電話サービスを作動させる（ＳＤ５）。
留守番動作制御部５２は、受信側電話機に対応つけられた緊急応答メッセージを応答メッセージ記憶部５４−２から抽出する。信号処理回路５１が緊急応答メッセージを復号化して、緊急留守番応答メッセージｄ５として発呼側電話機１０に送信する。発呼者は、発呼側電話機１０で緊急留守番応答メッセージｄ５に応答して、自分の電話番号を入力する（ＳＤ６）。発呼側電話機１０は、電話番号ｄ６を交換機５０’’’に送信する。発呼側電話機１０の電話番号は、公知の電話番号通知機能により受信側電話機２０に送信される場合がある。
【００８７】
信号処理回路５１は、発呼側電話機１０の電話番号を、緊急留守番電話サービス機能で登録されたこと、およびの受信側電話機２０の電話番号と関連付けて、電話番号登録部５４−６に記憶する（ＳＤ７）。
【００８８】
受信側電話機２０の電源が入れられること、もしくは受信側電話機２０が通信圏内に復帰した場合（ＳＤ８）、受信側電話機２０は、位置登録信号ｄ７を電話網側に発信する。交換機５０’’’は、位置登録信号ｄ７を受信する。さらに。留守番動作制御部５２が、位置登録信号ｄ７に含まれる受信側電話機２０の電話番号に関連付けられて登録されている、発呼側電話機１０の電話番号があるか電話番号登録部５４−６を検索する（ＳＤ９）。
【００８９】
留守番動作制御部５２は、発呼側電話機１０の電話番号の登録があった場合、その発呼側電話機１０の電話番号に呼出信号ｄ８を送信する。発呼側電話機１０は、着信音の鳴動などの呼出動作を行い、発呼者が応答動作を行う（ＳＤ１０）。応答動作により応答信号ｄ９が、発呼側電話機１０から交換機５０’’’に送信される。
交換機５０’’’は、受信側電話機２０が通信可能状態になったことを含む復帰メッセージｄ１０を発呼側電話機１０に送信する（ＳＤ１１）。
発呼側電話機１０は伝言メッセージｄ１０を受信し、受信側電話機２０が通信可能状態になったことを知ることができる。
発呼者は発呼側電話機１０から受信側電話機２０の電話番号を入力して発呼操作を行う（ＳＤ１２）。
発呼側電話機１０は、受信側電話機２０の電話番号の情報を含む選択信号ｄ１１を交換機５０’’’に送信する。交換機５０’’’は、受信側電話機２０との回線接続を行い、受信側電話機２０に呼出信号ｄ１２を送信する。
受信側電話機２０は、呼出信号ｄ１２を受信して呼出動作を行い、受信者が応答動作を行う（ＳＤ１３）。発呼側電話機１０と受信側電話機２０は通話状態となる（ＳＤ１４）。
【００９０】
このように、パスワードを知らせた特定の人からの緊急の電話の場合に、交換機５０’’’で発呼側電話機１０の電話番号が記憶され、受信側電話機２０が通話可能状態になった時に、復帰を示す復帰メッセージが自動的に発呼側電話機に送信される。このため、発呼者は再度、受信者に電話を掛けることができる。
【００９１】
次に、図１４を参照して、交換機５０’’’の動作が説明される。
図１４は交換機５０’’’の動作を示すフローチャートである。
発呼側電話機１０の発呼者が、受信側電話機２０の受信者に連絡を取りたい場合、操作部（図示しない）を用いて受信側電話機２０の電話番号を設定し発呼動作を行う。
【００９２】
発呼側電話機１０からの選択信号を交換機５０’’’は基地局３０を介して受信する。受信した選択信号から交換機５０’’’は、発呼先の受信側電話機２０を特定し基地局４０を介して受信側電話機２０に信号を送出する。
受信側電話機２０は通信可能状態にないため交換機５０’’’は応答を受信しない。交換機５０’’’の留守番制御部５２は、メモリ５４内にある応答メッセージ記憶部５４−２から応答メッセージの音声データを取り出し、信号処理回路５１にて復号化された信号を、基地局３０を介して発呼側電話機１０に送出する（Ｓ４０）。
【００９３】
発呼側電話機１０を使用している発呼者はその応答メッセージを聞くことにより留守番電話サービスに接続されたことを知る。ここで発呼側電話機１０の発呼者が電話機２０の使用者からあらかじめ教えられたパスワードを、操作部から入力する。交換機５０’’’の留守番動作制御部５２は、パスワードの受信を検知する（Ｓ４１）。
【００９４】
パスワードの受信を検知した場合、留守番動作制御部５２は受信したパスワードをパスワード判定回路５３に送る。パスワード判定回路５３は、受信したパスワードが、パスワード登録部５４−３にあらかじめ受信側電話機２０の使用者により登録されているパスワードと一致するか比較し判定する（Ｓ４３）。
【００９５】
パスワードが一致した場合、留守番動作制御部５２は、緊急留守番サービス機能を作動する（Ｓ４４）。緊急留守番サービス機能により発呼者は、自分の電話番号を交換機５０’’’に入力する。もしくは交換機５０’’’は、自動的に発呼側電話機１０の電話番号を取得する。交換機５０’’’は発呼側電話機１０の電話番号を、受信側電話機２０の電話番号と関連付けて、留守番データとして電話番号登録部５４−６に記録する。
【００９６】
発呼者がパスワードを入力しなかった場合やパスワードが誤っていた場合、交換機５０’’’は通常の留守番動作を継続する（Ｓ４２）。
【００９７】
交換機５０’’’は、呼び出した受信側電話機２０の電源が投入されたこと、もしくは受信側電話機２０が通信圏内に復帰したことを位置登録動作により検知する（Ｓ４５）。交換機５０’’’は、受信側電話機２０が通信可能状態になったことを検知した場合、電話番号登録部５４−６に、受信側電話機２０に関連付けられて登録された発呼側の電話番号を含む留守番データがあるか検索する（Ｓ４６）。
【００９８】
発呼側の電話番号を含む留守番データがある場合、交換機５０’’’は留守番データに関連付けられた発呼側電話機１０に呼出信号を送出する（Ｓ４７）。発呼側電話機２０が、呼出信号に応答した場合、交換機５０’’’は、受信側電話機２０が通話可能状態になったことを示す復旧メッセージを送信する（Ｓ４８）。
【００９９】
発呼側の電話番号を含む留守番データがない場合、交換機５０’’’は動作を終了する。
【０１００】
上記の発明により、始めの発呼で受信側電話機２０が通信状態になくても、通信状態になったときに通話状態になったことを検知して、自動的に発呼側電話機１０に通知することができる。発呼者は、受信側電話機２０が通信状態になったことを、早く知ることができ、受信側電話機１０に電話をかけることができる。
さらに、パスワードにより自動送信される発呼者を限定することができる。
【０１０１】
【発明の効果】
本発明の留守番電話サービス装置、交換機および、留守番電話サービス方法は、より早く受信者と連絡を取ることができる。
【図面の簡単な説明】
【図１】図１は、電話網側で留守番電話サービスを提供することができる交換機と、その交換機に接続される基地局および電話機の概要を示す。
【図２】図２を参照して、留守番状態が解除される場合の通信の概要が説明される。
【図３】図３は交換機の動作を示すフローチャートである。
【図４】図４は本実施の形態２で使用される交換機の構成と、基地局、発呼側電話機、受信側電話機、転送先電話機の関係を示す。
【図５】図５は、留守番状態が解除され、転送が行われる場合の通信の概要を示す。
【図６】図６は、実施の形態２における交換機の動作を示すフローチャートである。
【図７】図７は本実施の形態３で使用される交換機の構成と、基地局、発呼側電話機、受信側電話機の関係を示す。
【図８】図８は、受信側電話機が通信可能状態になった場合に、交換機から自動的に伝言メッセージが送信される通信の概要を示す。
【図９】図９は、受信側電話機が通信可能状態になった場合に、交換機から自動的に伝言メッセージが送信される通信の概要を示す（図８の続き）。
【図１０】図１０は、実施の形態３における交換機の動作を示すフローチャートである。
【図１１】図１１は、本実施の形態４で使用される交換機の構成と、基地局、発呼側電話機、受信側電話機の関係を示す。
【図１２】図１２は、受信側電話機が通信可能状態になった場合に、交換機から自動的に伝言メッセージが送信される通信の概要を示す。
【図１３】図１３は、受信側電話機が通信可能状態になった場合に、交換機から自動的に伝言メッセージが送信される通信の概要を示す（図１２の続き）。
【図１４】図１４は、実施の形態４における交換機の動作を示すフローチャートである。
【符号の説明】
１０  発呼側電話機
２０  受信側電話機
３０  （第一）基地局
４０  （第二）基地局
５０  交換機
５１  信号処理回路
５２  留守番動作制御部
５３  パスワード判定回路
５４−１  伝言登録部
５４−２  応答メッセージ記憶部
５４−３  パスワード登録部
５４−４  転送先登録部
５４−５  状態登録部
５４−６  電話番号登録部
６０  （第三）基地局
７０  転送先電話機
【図１】
2005020262.tif 000003
【図２】
2005020262.tif 000004
【図３】
2005020262.tif 000005
【図４】
2005020262.tif 000006
【図５】
2005020262.tif 000007
【図６】
2005020262.tif 000008
【図７】
2005020262.tif 000009
【図８】
2005020262.tif 000010
【図９】
2005020262.tif 000011
【図１０】
2005020262.tif 000012
【図１１】
2005020262.tif 000013
【図１２】
2005020262.tif 000014
【図１３】
2005020262.tif 000015
【図１４】
2005020262.tif 000016